(57)【要約】【課題】  ディスクなどの記録媒体の挿入口、およびこの挿入口を開閉するシャッタを有し、シャッタが安定して支持され、シャッタの短い距離の移動で挿入口を確実に閉鎖できる「記録媒体駆動装置」を提供する。【解決手段】  シャッタ１０には、第１の案内長穴１１ａと第２の案内長穴１１ｂが形成され、第１の案内長穴１１ａが筐体２の前面２ａに固定された第１の摺動突部１２を摺動し、第２の案内長穴１１ｂが第２の摺動突部１３を摺動する。第１の案内長穴１１ａと第２の案内長穴１１ｂとが互いに異なる向きに傾斜しており、シャッタ１０がＸ２方向へ移動すると、シャッタ１０が反時計方向へ回動して挿入口４を閉鎖できる閉鎖位置に至る。【選択図】図１
2008135107.tif 000002
【特許請求の範囲】
【請求項１】
筐体に形成され幅方向の開口幅寸法が縦方向の開口幅寸法より広い挿入口と、筐体内に設けられて前記挿入口から挿入された記録媒体が装填される駆動部と、前記挿入口を開閉するシャッタとが設けられた記録媒体駆動装置において、
前記シャッタは、筐体の一部または筐体とは別体の支持体に支持されて、前記支持体と前記シャッタのいずれか一方に２つの案内長穴が形成され、他方にはそれぞれの前記案内長穴を摺動する一対の摺動突部が設けられ、前記案内長穴の少なくとも一方が、幅方向と縦方向の双方に対して傾斜しており、
前記シャッタは、幅方向に沿う一方の側である第１の側へ移動したときに、前記挿入口を開放でき、幅方向に沿う他方の側である第２の側へ移動したときに、前記案内長穴に沿って幅方向と縦方向の双方に対して傾斜する方向へ移動して、前記挿入口の少なくとも一部を閉鎖可能とされており、
前記シャッタに第１の側と第２の側への移動力を与えるシャッタ駆動機構が設けられていることを特徴とする記録媒体駆動装置。
【請求項２】
第１の側に第１の案内長穴が、第２の側に第２の案内長穴が設けられ、前記第１の案内長穴は、第２の側に向かうにしたがって前記挿入口から離れる向きに傾斜し、前記第２の案内長穴は、第２の側に向かうにしたがって前記挿入口に接近する向きに傾斜している請求項１記載の記録媒体駆動装置。
【請求項３】
前記シャッタ駆動機構には、前記幅方向と平行に動作して第１の側と第２の側に移動する駆動部材と、前記駆動部材から前記シャッタに移動力を伝達する連結部材とが設けられ、前記連結部材の一端が前記駆動部材に揺動自在に連結されているとともに、前記連結部材の他端が前記シャッタに揺動自在に連結されている請求項１または２記載の記録媒体駆動装置。
【請求項４】
前記連結部材が金属ワイヤである請求項３記載の記録媒体駆動装置。
【発明の詳細な説明】
【技術分野】
【０００１】
本発明は、筐体に、ディスクなどの記録媒体を挿入する横長形状の挿入口が形成されて、前記挿入口を開閉するシャッタが設けられた記録媒体駆動装置に関する。
【背景技術】
【０００２】
車載用の電子機器では、筐体の前面に挿入口が形成され、この挿入口から記録媒体が挿入されるスロットイン方式が採用されている。記録媒体がＣＤ（コンパクト・ディスク）やＤＶＤ（ディジタル・バーサタイル・ディスク）などのディスクである場合には、筐体内に搬送ローラを備えた搬送機構が設けられており、挿入口から挿入されたディスクが、搬送ローラの回転力によって筐体の内部に搬入される。筐体内には、ターンテーブルを有する駆動部が設けられ、前記搬送機構の搬送力で搬入されたディスクの中心穴が、前記ターンテーブルにクランプされる。
【０００３】
この種の記録媒体駆動装置では、筐体内の駆動部によってディスクが回転駆動されているときに、挿入口から新たなディスクが挿入されるのを阻止することが必要である。そのために、ディスク駆動中に前記挿入口から別のディスクが挿入されるのを防止する挿入防止機構が設けられているのが一般的である。
【０００４】
前記挿入防止機構としては、挿入口の上側または下側に配置された軸を支点として回動する蓋体が設けられているものがある。この蓋体を設けると、挿入口のほぼ全体を閉鎖することができ、筐体の内部に埃や異物が入り込むのを防止しやすい。しかし、筐体の奥行き方向に向けて回動する蓋体を設けると、筐体の前後方向に蓋体が回動するためのスペースを確保することが必要となり、機器の奥行き寸法の小型化を阻害することになる。
【０００５】
以下の特許文献１と特許文献２には、筐体の前面に前記挿入口が開口しているとともに、前面に沿って回動するシャッタが設けられている。このシャッタを前面に沿って一方に向けて回動させると、シャッタが挿入口を遮らない位置に移動し、他方に向けて回動させると、シャッタによって挿入口の一部が閉鎖されて、ディスクが挿入口から挿入されるのを阻止できる。
【特許文献１】特開２００３−１６８２５４号公報
【特許文献２】特開２００４−３１８９６５号公報
【発明の開示】
【発明が解決しようとする課題】
【０００６】
特許文献１または２に記載のディスク装置に設けられるシャッタは、その基部が筐体の前面に回動自在に支持されて、シャッタが片持ち状態で回動する。
【０００７】
シャッタが、片持ち状態で回動するものでは、シャッタの支持が不安定であり、車載用の電子機器では、車体振動などでシャッタのがたつき音が発生しやすい。また、片持ち支持のシャッタは外力に対する強度が弱く、例えば挿入口からディスクなどの記録媒体が強引に挿入されると、記録媒体の押し込み力によりシャッタが変形し、または基部の支持部に過大な応力が作用して支持軸が破損するなどの故障が発生しやすい。
【０００８】
さらに、シャッタが回動方式であるため、シャッタを支持軸を中心に回動させるための回動機構を装備することが必要になる。この種の回動機構は、機構が複雑になるのみならず、回動動作に必要なスペースが広く必要になり、機器の薄型化を阻害する原因になりやすい。
【０００９】
本発明は上記従来の課題を解決するものであり、挿入口を閉鎖するシャッタを、安定して支持した状態で動作させることができ、またシャッタを開閉させるシャッタ駆動機構の構造も簡単にできる記録媒体駆動装置を提供することを目的としている。
【課題を解決するための手段】
【００１０】
本発明は、筐体に形成され幅方向の開口幅寸法が縦方向の開口幅寸法より広い挿入口と、筐体内に設けられて前記挿入口から挿入された記録媒体が装填される駆動部と、前記挿入口を開閉するシャッタとが設けられた記録媒体駆動装置において、
前記シャッタは、筐体の一部または筐体とは別体の支持体に支持されて、前記支持体と前記シャッタのいずれか一方に２つの案内長穴が形成され、他方にはそれぞれの前記案内長穴を摺動する一対の摺動突部が設けられ、前記案内長穴の少なくとも一方が、幅方向と縦方向の双方に対して傾斜しており、
前記シャッタは、幅方向に沿う一方の側である第１の側へ移動したときに、前記挿入口を開放でき、幅方向に沿う他方の側である第２の側へ移動したときに、前記案内長穴に沿って幅方向と縦方向の双方に対して傾斜する方向へ移動して、前記挿入口の少なくとも一部を閉鎖可能とされており、
前記シャッタに第１の側と第２の側への移動力を与えるシャッタ駆動機構が設けられていることを特徴とするものである。
【００１１】
本発明の記録媒体駆動装置は、シャッタが２つの摺動突部で支持されて摺動するため、シャッタの支持が安定してがたつき音が生じにくい。また、シャッタが２つの摺動突部で支持されているために、外部の力に対して強く、記録媒体が押し込まれたときなどでも変形しにくい。また、シャッタが第２の側へ摺動する動作のみで、挿入口を開閉できるため、シャッタ駆動機構の構造を簡単にできる。
【００１２】
本発明は、好ましくは、第１の側に第１の案内長穴が、第２の側に第２の案内長穴が設けられ、前記第１の案内長穴は、第２の側に向かうにしたがって前記挿入口から離れる向きに傾斜し、前記第２の案内長穴は、第２の側に向かうにしたがって前記挿入口に接近する向きに傾斜している。
【００１３】
上記のように、第１の案内長穴と第２の案内長穴とが、互いに逆の向きに傾斜していると、シャッタを第２の側に向けて短い距離移動させるだけで、シャッタで挿入口を閉鎖することができる。
【００１４】
さらに、本発明は、前記シャッタ駆動機構には、前記幅方向と平行に動作して第１の側と第２の側に移動する駆動部材と、前記駆動部材から前記シャッタに移動力を伝達する連結部材とが設けられ、前記連結部材の一端が前記駆動部材に揺動自在に連結されているとともに、前記連結部材の他端が前記シャッタに揺動自在に連結されているものである。例えば、前記連結部材が金属ワイヤである。
【００１５】
上記のように、駆動部材を幅方向と平行な方向へ移動させ、連結部材を、駆動部材とシャッタに揺動自在に連結することにより、駆動部材の幅方向の移動力で、シャッタを斜めの向きに摺動させることができる。また、駆動部材の移動方向が単純なので、シャッタ駆動機構の構造を簡単にでき、また駆動部材などが移動するのに必要なスペースを比較的狭くできる。
【００１６】
なお、本発明では、記録媒体が、ＣＤやＤＶＤなどのように露出状態で使用されるディスクである。または、ディスクが矩形状のケース内に挿入されたものであってもよい。あるいは、記録媒体が、不揮発性のメモリを備えた記憶装置などであってもよい。
【発明の効果】
【００１７】
本発明の記録媒体駆動機構では、シャッタが安定して支持されて摺動する。そのため、シャッタのがたつき音が発生しにくく、外力が作用したときにシャッタが変形しにくい。さらに、シャッタの短い距離の摺動動作で、挿入口の閉鎖と開放が可能となる。
【発明を実施するための最良の形態】
【００１８】
図１は、本発明の実施の形態の記録媒体駆動装置において筐体の前面に設けられたシャッタを動作別に示す正面図であり、（Ａ）はシャッタが開放位置にある状態を示し、（Ｂ）はシャッタが閉鎖位置にある状態を示す。図２は、シャッタが開放されているときのシャッタ駆動機構の動作を示す平面図、図３は、シャッタが閉鎖されているときのシャッタ駆動機構の動作を示す平面図である。
【００１９】
この実施の形態の記録媒体駆動装置１は、記録媒体として直径が１２ｃｍのＣＤやＤＶＤ、または直径が８ｃｍのＣＤまたはＤＶＤなどが装填される。
【００２０】
記録媒体駆動装置１は、金属製の筐体２を有している。この筐体２は、幅方向であるＸ方向の寸法よりも縦方向であるＺ方向の寸法が短く形成されて、薄い直方体形状である。筐体２は、前面２ａを有している。図１（Ａ）（Ｂ）に示すように、前面２ａは、Ｘ方向へ長手方向が向けられた長方形である。また、筐体２には、左側面２ｂと右側面２ｃ、および底面２ｄと天井面２ｅが設けられ、さらに、前面２ａと対向する後方に後面が設けられている。
【００２１】
図２と図３に示すように、筐体２の前面２ａには、筐体の一部を構成するノーズ部３が固定されている。なお、図１（Ａ）（Ｂ）ではノーズ部３の図示を省略している。ノーズ部３は合成樹脂材材料で形成された化粧部であり、その前面に、各種操作部材や液晶パネルなどの表示装置が設けられている。
【００２２】
図１（Ａ）（Ｂ）に示すように、筐体２の前面２ａには挿入口４が開口している。挿入口４は幅方向であるＸ方向の開口幅寸法が長く、縦方向であるＺ方向の開口幅寸法が短いスリット形状である。図２と図３に示すように、前記ノーズ部３には、前記挿入口４と連通する挿入口３ａが形成されている。
【００２３】
図２と図３に示すように、筐体２の内部には駆動ユニット５が設けられている。この駆動ユニット５は、筐体２の内部に設けられたオイルダンパーやエアーダンパーまたはコイルスプリングなどの弾性部材により、弾性支持されている。駆動ユニット５の内部には、挿入口４から挿入されたディスクを駆動ユニット５の内部に向けて搬入する搬送機構が設けられている。さらに駆動ユニット５の内部には、前記搬送機構で搬入されたディスクの中心穴が設置されるターンテーブルと、このターンテーブルにディスクを押圧するクランパと、前記ターンテーブルを駆動するスピンドルモータとが設けられている。ターンテーブルとクランパおよびスピンドルモータが、記録媒体であるディスクを駆動するための駆動部である。
【００２４】
図２と図３に示すように、駆動ユニット５のＸ１側の側部には、切換え部材６が設けられている。この切換え部材６は、駆動ユニット５においてＹ１−Ｙ２方向へ移動自在に支持されており、駆動ユニット５の内部には、この切換え部材６を、奥側であるＹ１方向と前方であるＹ２方向へ移動させるための切換え駆動機構が設けられている。
【００２５】
駆動ユニット５内へのディスクの搬入を待つ待機状態では、図２に示すように、切換え部材６が奥側であるＹ１方向へ移動させられている。このとき、駆動部に設けられたクランパがターンテーブルから離れており、また搬送機構はディスクを搬送できる位置に設定されている。さらに、Ｙ１方向へ移動した切換え部材６が、筐体２の内部に設けられたロック部に係合し、弾性支持されている駆動ユニット５が筐体２の内部で動くことのないように規制されている。
【００２６】
図２の状態で、挿入口３ａおよび挿入口４からディスクが挿入されたことが検知されると、前記搬送機構が始動してディスクが駆動ユニット５の内部に搬入される。ディスクの中心穴がターンテーブルの中心と一致する位置までディスクが装填されると、図示しない装填検知手段がこれを検知する。この検知動作により、前記切換え駆動機構が始動して、図３に示すように切換え部材６が前方であるＹ２方向へ移動させられる。このときの切換え部材６の移動力により、クランパがディスクをターンテーブルに押圧して、ターンテーブルにディスクの中心部がクランプされる。また搬送機構がディスクから離れる位置に移動する。さらに切換え部材６が筐体２の内部のロック部から外れ、駆動ユニット５が筐体２の内部で弾性支持される。駆動ユニット５が弾性支持されている状態で、スピンドルモータによってディスクが回転駆動され、駆動ユニット５内に設けられた光ヘッドにより、ディスクに記録された信号が読み取られ、あるいはディスクに信号が記録される。
【００２７】
筐体２の前面２ａにはシャッタ１０が設けられている。このシャッタ１０は、金属板で形成されている。駆動ユニット５がディスクの搬入を待機しているときは、図１（Ａ）に示すように、シャッタ１０がＸ１方向へ移動して、シャッタ１０が挿入口４から外れている。ディスクが駆動ユニット５の内部でターンテーブルにクランプされている状態では、図１（Ｂ）に示すように、シャッタ１０がＸ２方向へ移動するとともに、シャッタ１０が挿入口４を横切り、挿入口４の一部がシャッタ１０で閉鎖される。この実施の形態では、Ｘ１側が第１の側であり、Ｘ２側が第２の側である。
【００２８】
シャッタ１０には、第１の側であるＸ１側に第１の案内長穴１１ａが貫通して形成され、第２の側であるＸ２側に第２の案内長穴１１ｂが貫通して形成されている。筐体２の前面２ａには、Ｘ１側に第１の摺動突部１２が固定され、Ｘ２側に第２の摺動突部１３が固定されている。第１の摺動突部１２と第２の摺動突部１３の軸方向は、前面２ａに対して垂直な向きである。第１の案内長穴１１ａが第１の摺動突部１２に摺動自在に挿通され、第２の案内長穴１１ｂが第２の摺動突部１３に摺動自在に挿通されている。
【００２９】
図２に示すように、第１の摺動突部１２にはＹ２側に平坦形状の頭部１２ａが一体に形成され、第２の摺動突部１３にはＹ２側に平坦形状の頭部１３ａが一体に形成されている。シャッタ１０は、前面２ａと各頭部１２ａ，１３ａとで挟まれている。よって、シャッタ１０は、前面２ａに密着した状態で、案内長穴１１ａ，１１ｂに案内されて摺動する。
【００３０】
図１（Ａ）（Ｂ）に示すように、シャッタ１０のＸ２側で上方に向く縁部には、Ｙ２方向へ向けて斜めに曲げられた折曲部１０ａが形成されている。シャッタ１０が、図１（Ａ）に示す開放位置から図１（Ｂ）に示す閉鎖位置へ移動するときに、前記折曲部１０ａが挿入口４の内部を移動することにより、シャッタが挿入口４の上内縁などに引っ掛かりにくくなっている。
【００３１】
図１（Ａ）に示すように、シャッタ１０が、Ｘ１方向へ移動して挿入口４から外れている開放位置にあるときに、第１の案内長穴１１ａは、Ｘ２方向へ向かうにしたがって挿入口４から遠ざかってＺ１方向へ向くように傾斜している。第２の案内長穴１１ｂは、Ｘ２方向へ向かうにしたがって挿入口４に近づくようにＺ２方向へ向けられて傾斜している。第１の案内長穴１１ａと第２の案内長穴１１ｂは、共に直線状に延びる長穴である。
【００３２】
図１（Ａ）に示すように、シャッタ１０がＸ１側へ移動していると、折曲部１０ａを有する先部がＺ１側へ下降し、Ｘ１側の端部である基部１０ｂがＺ２方向へ上昇している。そのため、シャッタ１０の上縁が、挿入口４の下縁にほぼ一致し、シャッタ１０が挿入口４の内部に存在しておらず、挿入口４が開放されている。
【００３３】
図１（Ｂ）に示すように、シャッタ１０がＸ２方向へ移動させられると、第１の案内長穴１１ａの案内動作により、基部１０ｂがＺ１方向へ移動させられ、第２の案内長穴１１ｂの案内動作により、折曲部１０ａを有する先部がＺ２方向へ移動させられる。このように、互いに逆向きに傾斜している第１の案内長穴１１ａと第２の案内長穴１１ｂの案内動作により、シャッタ１０が、図１（Ａ）に示す開放位置から、図１（Ｂ）に示す閉鎖位置まで、Ｘ２方向へわずかな距離だけ移動する際に、シャッタ１０が反時計方向へ大きく回動し、シャッタ１０の先部が挿入口４を横断し、前記先部によって挿入口４の一部を閉鎖できる。
【００３４】
この実施の形態では、筐体２の前面２ａが、第１の摺動突部１２と第２の摺動突部１３が固定される支持体となっている。ただし、前面２ａとは別体の支持体が筐体２の内部などに設けられ、この支持体に第１の摺動突部１２と第２の摺動突部１３が固定されていてもよい。
【００３５】
なお、図１（Ａ）（Ｂ）に示すのと同じ動作を行う実施の形態として、筐体２の前面２ａなどの支持体に第１の案内長穴と第２の案内長穴が開口し、この２つの案内長穴が、図１に示す１１ａおよび１１ｂの案内長穴と同じ向きに傾斜しており、シャッタに固定された摺動突部が第１の案内長穴と第２の案内長穴のそれぞれに摺動自在に挿通されているものであってもよい。
【００３６】
図１（Ａ）（Ｂ）および図２に示すように、シャッタ１０には、筐体２の内方に向けて延びる連結突部１４が固定されている。この連結突部１４は軸形状であり、その軸中心はＹ１−Ｙ２方向に向けられている。筐体２の前面２ａには、逃げ長穴１５が貫通して形成されている。図２と図３に示すように、前記連結突部１４は、逃げ長穴１５を通過して筐体２の内方へ突出している。前記逃げ長穴１５は、シャッタ１０が図１（Ａ）に示す開放位置から図１（Ｂ）に示す閉鎖位置に向けて移動するときの、前記連結突部１４の軌跡に沿って屈曲形状に形成されている。
【００３７】
図２と図３に示すように、筐体２内の前面２ａの内側にはシャッタ駆動機構２０が設けられている。このシャッタ駆動機構２０は、筐体２の底面２ｄの内側で、且つ挿入口４よりもＺ１側の領域に設けられている。また、弾性支持されている前記駆動ユニット５との当たらない位置に配置されている。
【００３８】
前記シャッタ駆動機構２０には、駆動部材２１が設けられている。筐体２の底面２ｄには筐体２の内部に向けてＺ２方向へ立ち上がる支持軸２２が設けられ、駆動部材２１は支持軸２２に回動自在に支持されている。駆動部材２１には駆動腕２１ａが設けられている。駆動部材２１が回動すると、駆動腕２１ａは、筐体２の前面２ａの内面に沿って且つ底面２ｄと平行にＸ１−Ｘ２方向へ移動する。駆動腕２１ａの先部には連結穴２１ｂが形成されている。
【００３９】
シャッタ１０に固定された前記連結突起１４と駆動腕２１ａに形成された連結穴２１ｂとが、連結部材２３で連結されている。連結部材２３は、金属ワイヤである。連結部材２３の一方の端部２３ａが連結突部１４に連結されている。連結部材２３の前記端部２３ａはリング状に折り曲げられて、前記連結突部１４に回動自在に連結されている。よって、連結部材２３は、連結突部１４の軸中心を支点として揺動自在である。連結部材２３の他方の端部２３ｂは、駆動腕２１ａに形成された前記連結穴２１ｂに連結されている。連結部材２３の前記端部２３ｂはクランク形状に折り曲げられて、その先部が連結穴２１ｂに挿入されている。よって、連結部材２３は、駆動腕２１ａに対してＸ−Ｚ平面と平行な方向へ向けて揺動できるように連結されている。
【００４０】
駆動部材２１が支持軸２２を中心として回動すると、その回動力が連結部材２３を経て連結突部１４に伝達される。このとき、駆動腕２１ａの移動方向がＸ１−Ｘ２方向であるのに対し、シャッタ１０に設けられた連結突部１４は、Ｘ１−Ｘ２方向へ移動するのみならずＺ１−Ｚ２方向へも移動する。しかし、連結部材２３の端部２３ａが連結突部１４に揺動自在に連結され、連結部材２３の端部２３ｂが駆動腕２１ａに揺動自在に連結されているため、駆動腕２１ａとシャッタ１０の双方に不要な応力を与えることがなく、駆動腕２１ａのＸ１−Ｘ２方向への移動に伴なって、シャッタ１０が、図１（Ａ）に示す開放位置と図１（Ｂ）に示す閉鎖位置との間をスムースに移動できる。
【００４１】
前記駆動部材２１に形成された付勢腕２１ｃと筐体２の前面２ａとの間には、閉鎖付勢部材として機能するコイルスプリング２４が掛けられている。図３に示すように駆動部材２１に外力が作用していないときには、駆動部材２１はコイルスプリング２４の付勢力を受けて反時計方向へ回動させられている。よって、図３では、駆動腕２１ａがＸ２方向へ移動し、連結部材２３を介してシャッタ１０がＸ２方向へ移動させられており、図１（Ｂ）に示すように、シャッタ１０が閉鎖位置に移動している。シャッタ１０は、コイルスプリング２４の付勢力を受けて閉鎖位置へ移動するため、シャッタ１０が閉鎖位置へ移動するときに、例えば、挿入口４内にディスクやその他の異物が存在していたとしても、シャッタ１０がこれら異物に弾性的に当接することになり、ディスクなどに損傷を与えにくい。また、シャッタ１０が異物に当たっている状態で、異物を取り去れば、コイルスプリング２４の付勢力によって、シャッタ１０が図１（Ｂ）に示す閉鎖位置に移動できる。
【００４２】
図２と図３に示すように、シャッタ駆動機構２０には切換え伝達部材２６が設けられている。この切換え伝達部材２６は、筐体２の底面２ｄからＺ２方向に立ち上がる軸２７に回動自在に支持されている。切換え伝達部材２６にばね支持部２６ａが設けられ、このばね支持部２６ａにトーションばね２８の巻き体部２８ｃが挿通されて支持されている。前記巻き体部２８ｃから延びる一方の弾性腕２８ａは、筐体２の底面２ｄに設けられたばね掛け部２９に支持され、巻き体部２８ｃから延びる他方の弾性腕２８ｂは、切換え伝達部材２６に形成された掛止部２６ｂに掛けられている。前記トーションばね２８によって切換え伝達部材２６は常に時計方向へ付勢されている。
【００４３】
切換え伝達部材２６には、押圧部２６ｃが形成されており、前記駆動部材２１には被押圧腕２１ｄが形成されている。図２に示すように、切換え伝達部材２６に外力が作用していないときは、切換え伝達部材２６がトーションばね２８の付勢力によって時計方向へ回動している。このとき、切換え伝達部材２６の押圧部２６ｃによって駆動部材２１の被押圧腕２１ｄが押圧され、駆動部材２１が時計方向へ回動させられる。すなわち、トーションばね２８から切換え伝達部材２６に与えられる時計回りのモーメントは、コイルスプリング２４から駆動部材２１に与えられる反時計回りのモーメントよりも大きい。
【００４４】
図２に示すように、切換え伝達部材２６が時計方向へ回動し、駆動部材２１が時計方向へ回動させられると、連結部材２３によってシャッタ１０がＸ１方向へ引かれ、図１（Ａ）に示すように、シャッタ１０が開放位置に至る。
【００４５】
また、前記切換え伝達部材２６のＸ１の端部には伝達部２６ｄが形成されており、この伝達部２６ｄが、前記切換え部材６の押圧部６ａに対向している。
【００４６】
この記録媒体駆動装置１では、図２に示すように、駆動ユニット５の側方に位置する切換え部材６がＹ１方向へ移動していると、駆動ユニット５内のクランパがターンテーブルから離れ、また駆動ユニット５が筐体２の内部でロックされて、ディスクの挿入を待機できる状態に設定される。
【００４７】
切換え部材６がＹ１方向へ移動すると、切換え部材６の押圧部６ａが切換え伝達部材２６から離れ、切換え伝達部材２６がトーションばね２８によって時計方向へ回動させられる。そして、切換え伝達部材２６の押圧部２６ｃが駆動部材２１の被押圧腕２１ｄに当たり、駆動部材２１が時計方向へ回動させられる。このとき、駆動腕２１ａがＸ１方向へ移動し、駆動腕２１ａによって連結部材２３がＸ１方向へ引かれ、シャッタ１０がＸ１方向へ移動させられて図１（Ａ）に示すように、シャッタ１０が開放位置へ移動する。
【００４８】
挿入口４から挿入されたディスクが、搬送機構で搬入されて、ディスクの中心穴がターンテーブルに一致すると、駆動ユニット５内の切換えモータの動力によって切換え部材６がＹ２方向へ移動させられる。切換え部材６の移動力により、クランパが下降させられて、ディスクの中心穴がターンテーブルにクランプされ、また搬送機構がディスクから離れる。さらに切換え部材６が筐体２内のロック部材から離れ、駆動ユニット５の拘束が解除されて、筐体２内で駆動ユニット５が弾性支持される。
【００４９】
図３に示すように、切換え部材６がＹ２方向へ移動すると、切換え部材６の押圧部６ａにより切換え伝達部材２６が反時計方向へ移動させられ、切換え伝達部材２６の押圧部２６ｃが、駆動部材２１から離れる。よって、駆動部材２１はコイルスプリング２４の付勢力で反時計方向へ回動し、駆動腕２１ａがＸ２方向へ移動し、連結部材２３でシャッタ１０がＸ２方向へ押され、図１（Ｂ）に示すように、シャッタ１０が閉鎖位置に至る。そのため、駆動ユニット５内でディスクが回転駆動されて情報の読み取りや書き込みが行われているときに、挿入口４から別のディスクが誤って挿入されるのを防止できる。
【００５０】
図１（Ａ）（Ｂ）に示すように、記録媒体駆動装置１に設けられたシャッタ１０は、第１の案内長穴１１ａと第２の案内長穴１１ｂが異なる向きに傾斜しているため、シャッタ１０は、Ｘ２方向へ移動するときに回動動作を伴なう。よって、Ｘ２方向への移動距離が短くても、図１（Ｂ）に示すように、挿入口４の一部を閉鎖する閉鎖位置に移動できる。また、シャッタ１０は、２つの摺動突部１２と１３で安定して支持されているためにがたつきにくい。また図１（Ｂ）に示す閉鎖位置のシャッタがディスクなどで強引に押されても、シャッタ１０に作用する押圧力が２つの摺動突部１２と１３で受け止められるため、シャッタ１０が変形しにくく、また摺動突部１２，１３での支持部が破損しにくい。
【００５１】
図４（Ａ）（Ｂ）は本発明の他の実施の形態を示す正面図である。
図４（Ａ）に示す記録媒体駆動装置では、シャッタ１１０が実線で示す開放位置にあるとき、第１の案内長穴１１１ａが幅方向であるＸ１−Ｘ２方向に対して平行に位置しており、第２の案内長穴１１ｂはＸ２方向へ向かうにしたがってＺ２方向へ向けて傾斜している。
【００５２】
図４（Ｂ）に示す記録媒体駆動装置では、シャッタ２１０が実線で示す開放位置にあるとき、第１の案内長穴２１１ａはＸ２方向に向かうにしたがってＺ１方向に向かけて傾斜している。一方、第２の案内長穴２１１ｂは、Ｘ１−Ｘ２方向と平行に延びている。
【００５３】
図４（Ａ）（Ｂ）に示すシャッタ１１０と２１０も、Ｘ２方向へ移動すると、回動動作して、先部１１０ａ，２１０ａがＺ２方向へ移動して挿入口を閉鎖できる。よって、Ｘ２方向への移動距離が短くでも、挿入口を閉鎖する位置に至ることができる。
【図面の簡単な説明】
【００５４】
【図１】筐体の前面に設けられたシャッタの動作を示すものであり、（Ａ）はシャッタが開放位置にあるときを示し、（Ｂ）はシャッタが閉鎖位置にあるときを示している。
【図２】筐体の内部に位置するシャッタ駆動機構を示すものであり、シャッタが開放位置にある状態を示す平面図。
【図３】筐体の内部に位置するシャッタ駆動機構を示すものであり、シャッタが閉鎖位置にある状態を示す平面図。
【図４】（Ａ）（Ｂ）は、他の実施の形態のシャッタを備えた記録媒体駆動装置の正面図。
【符号の説明】
【００５５】
１  記録媒体駆動装置
２  筐体
２ａ  前面
３  ノーズ部
４  挿入口
５  駆動ユニット
６  切換え部材
６ａ  押圧部
１０  シャッタ
１１ａ  第１の案内長穴
１１ｂ  第２の案内長穴
１２  第１の摺動突部
１３  第２の摺動突部
１４  連結突部
２０  シャッタ駆動機構
２１  駆動部材
２３  連結部材
２４  コイルスプリング
２６  切換え伝達部材
２８  トーションばね
【図１】
2008135107.tif 000003
【図２】
2008135107.tif 000004
【図３】
2008135107.tif 000005
【図４】
2008135107.tif 000006